(57)【要約】【課題】  各支所毎の複数の上・下水道施設の状況を本庁において一元管理することができる上・下水道施設用の遠隔監視システムを提供する。【解決手段】  Ａ支所において複数のデータ収集装置１１によって水道施設の状況を監視してデータを収集する。信号形態の異なるデータをＡ支所データ監視装置１６に送信し、Ａ支所データ監視装置１６によって、データがアナログ信号の場合にはデジタル信号に変換する。Ｂ支所においてデータ収集装置１１によって収集されたデータは、Ｂ支所データ監視装置２１によってデジタル信号に変換されて電話回線１５を介して本庁データ監視装置２５に送信される。Ｃ支所においてデータ収集装置１１によって収集されたデータは、Ｃ支所データ監視装置２３によってデジタル信号に変換されて電話回線１５を介して本庁データ監視装置２５に送信される。本庁データ監視装置２５によって全ての支所の各施設の事象の状況が一元管理される。【選択図】      図１
2005167964.tif 000002
【特許請求の範囲】
【請求項１】
複数の支所に配設された水道施設に関する監視項目のデータを収集する複数のデータ収集装置と、
各支所毎に設けられ、かつ前記各データ収集装置により収集されたデータを支所ごとに受信して監視する支所データ監視装置と、
上記の支所データ監視装置に接続され、かつ受信されたデータを本庁に配設された本庁データ監視装置に送信するのに適合した信号形態に変換するための信号形態変換装置と
を備えていることを特徴とする水道施設用の遠隔監視システム。
【請求項２】
請求項１において、前記支所データ監視装置は、アナログ信号及びデジタル信号をそれぞれ受信する複数のデータ受信部を備え、前記信号形態変換装置は、データの信号形態をアナログ信号からデジタル信号に変換する機能と、プロトコルを共通化する機能とを備えていることを特徴とする水道施設用の遠隔監視システム。
【請求項３】
請求項１又は２において、前記支所データ監視装置は、各データ収集装置によって収集されたデータを分析、演算処理するコンピューターを備えていることを特徴とする水道施設用の遠隔監視システム。
【請求項４】
請求項１〜３のいずれか１項において、前記支所は行政庁が管轄する上水道施設、下水道施設、民間事業所又は一般家庭の合併処理浄化槽を備えた上下水道施設であることを特徴とする水道施設用の遠隔監視システム。
【発明の詳細な説明】
【技術分野】
【０００１】
本発明は、水道施設用の遠隔監視システムに関する。
【背景技術】
【０００２】
従来、例えば市町村において、上・下水道施設用の遠隔監視システムとして、次のようなものが実施されている。この遠隔監視システムは、市町村の各支所毎に設けられた上・下水道施設に関する監視項目のデータを収集する複数のデータ収集装置から送信されたデータを各支所毎にそれぞれ配設された監視装置により受信して支所毎に管理するようになっている。
【発明の開示】
【発明が解決しようとする課題】
【０００３】
上記従来の遠隔監視システムは、各支所毎に設けられた監視装置により各支所において水道施設の状況を監視することができる。しかし、各支所に導入された監視装置の機種がそれぞれ異なり、収集されたデータの信号形態がまちまちとなっているため、各支所から支所全体を監督する本庁宛てに異なった信号形態のデータを送信することができず、本庁において各支所を統括した一元管理を行うことができないという問題があった。
【０００４】
又、近年、例えば過疎地においては、民間事業所又は一般家庭において、合併処理浄化槽を備えた上下水道施設が施工されている。しかし、これらの合併処理浄化槽における水質検査等は民間事業所又は一般家庭に任されており、市町村が管轄するようにはなっていなかった。このため、河川に排水される水質が安全基準を超えた場合にもそれを検出して管理することができないという問題があった。
【０００５】
本発明は、上記従来の技術に存する問題点を解消して、各支所毎の複数の水道施設の状況を本庁において一元管理することができる水道施設用の遠隔監視システムを提供することにある。
【課題を解決するための手段】
【０００６】
上記問題点を解決するために、請求項１に記載の発明は、複数の支所に配設された水道施設に関する監視項目のデータを収集する複数のデータ収集装置と、各支所毎に設けられ、かつ前記各データ収集装置により収集されたデータを支所ごとに受信して監視する支所データ監視装置と、上記の支所データ監視装置に接続され、かつ受信されたデータを本庁に配設された本庁データ監視装置に送信するのに適合した信号形態に変換するための信号形態変換装置とを備えていることを要旨とする。
【０００７】
請求項２に記載の発明は、請求項１において、前記支所データ監視装置は、アナログ信号及びデジタル信号をそれぞれ受信する複数のデータ受信部を備え、前記信号形態変換装置は、データの信号形態をアナログ信号からデジタル信号に変換する機能と、プロトコルを共通化する機能とを備えていることを要旨とする。
【０００８】
請求項３に記載の発明は、請求項１又は２において、前記支所データ監視装置は、各データ収集装置によって収集されたデータを分析、演算処理するコンピューターを備えていることを要旨とする。
【０００９】
請求項４に記載の発明は、請求項１〜３のいずれか１項において、前記支所は行政庁が管轄する上水道施設、下水道施設、民間事業所又は一般家庭の合併処理浄化槽を備えた上下水道施設であることを要旨とする。
【発明の効果】
【００１０】
請求項１〜４のいずれか１項に記載の発明によれば、各支所データ監視装置に信号形態変換装置を設けたので、機種の異なるデータ収集装置から送られてくるデータの信号形態を共通化することができ、この共通化されたデータを本庁データ監視装置に送信することができる。このため本庁において各支所毎の複数の水道施設の状況を一元管理することができる。
【００１１】
請求項２記載の発明は、前記信号形態変換装置によって機種の異なるデータ収集装置から送られてくるデータの信号形態がアナログ信号からデジタル信号に変換されるとともに、プロトコルが共通化されるので、この共通化されたデータを本庁データ監視装置に送信することができる。
【００１２】
請求項３記載の発明は、支所データ監視装置のコンピューターによって、各データ収集装置により収集されたデータが分析、演算処理される。このため各種の事象データを支所データ監視装置によって監視することもできる。
【００１３】
請求項４記載の発明は、行政庁が管轄する上水道施設、下水道施設、民間事業所又は一般家庭の合併処理浄化槽を備えた上下水道施設の各事象データをそれぞれ遠隔監視することができる。
【発明を実施するための最良の形態】
【００１４】
以下、本発明を具体化した上・下水道施設用の遠隔監視システムの一実施形態を図面に従って説明する。
図１は本実施形態の遠隔監視システムの全体構成を示す。この遠隔監視システムは特定の行政庁において、例えばＡ支所、Ｂ支所及びＣ支所の三つの支所に設けられた多数の水道施設の貯水池の水量や浄水場又は中継ポンプ場に設けた送水ポンプの運転状態等の各種の事象を本庁において一括して遠隔監視するように構成されている。
（Ａ支所の監視システム）
Ａ支所においては各施設の状況を監視してデータを収集する複数のデータ収集装置１１〜１１が配設されている。これらのデータ収集装置１１〜１１は例えば各配水池の水量、給水ポンプの運転状況等を収集するように構成されている。特定のデータ収集装置１１によって収集されたデータは、例えばデータの伝送速度が５０ｂｐｓの専用回線１２を介して既設データ監視装置１３にアナログ信号又はデジタル信号として送信されるようになっている。前記既設データ監視装置１３はＡ支所内に複数カ所に設けられ、それぞれの既設データ監視装置１３は製造メーカーが異なり、使用されているソフトウエアもデータの処理方法も異なる場合が多い。これらの既設データ監視装置１３にはそれぞれコンピュータを有するデータ処理装置１４が接続されている。このデータ処理装置１４は、前記既設データ監視装置１３からのデータの受信と、通信上の各種のプロトコルを共通化するための機能を備えている。これらのデータ処理装置１４によって収集された各施設のデータは、電話回線１５を介してＡ支所全体を一元管理するコンピューターを有するＡ支所データ監視装置１６に送信されるようになっている。
【００１５】
Ａ支所内に設けられた複数のデータ収集装置１１のうち、電話回線１５を介してＡ支所データ監視装置１６にデータをアナログ信号又はデジタル信号として直接送信するようにしたデータ収集装置１１も存在する。又、特定のデータ収集装置１１は電話回線１５を介してコンピュータを有する別のデータ処理装置１７にデータをデジタル信号又はアナログ信号として送信するようになっている。別のデータ収集装置１１にはパケット通信機１８が設けられ、ドゥーパ（Ｄｏｐａ）網１９を介して前記データ処理装置１７にデータをデジタル信号として送信するようにしたものも存在する。前記データ処理装置１７によって収集されたデータは、ＩＮＳ回線２０を介して前記Ａ支所データ監視装置１６にデジタル信号として送信されるようになっている。さらに、パケット通信機１８を備えた特定のデータ収集装置１１からドゥーパ（Ｄｏｐａ）網１９を介してＡ支所データ監視装置１６にデータをデジタル信号として直接送信するようにしたデータ収集装置１１も存在する。
【００１６】
前記ＩＮＳ回線２０に代えて、ケーブルテレビ（ＣＡＴＶ）回線、光ファイバー通信線、無線通信等が考えられる。
以上の説明で明らかなように、前記Ａ支所データ監視装置１６にはデータ収集装置１１によって収集されたデータがアナログ信号又はデジタル信号として入力されるようになっている。
【００１７】
前記Ａ支所データ監視装置１６によって収集されたＡ支所全体の各種のデータは、電話回線１５を介してコンピュータを有する本庁データ監視装置２５にデジタル信号として送信されるようになっている。
（Ｂ支所の監視システム）
次に、Ｂ支所における上・下水道施設のデータ監視システムについて説明する。
【００１８】
Ｂ支所においては、それぞれ各施設の状況を監視してデータを収集する複数のデータ収集装置１１が配設されている。各データ収集装置１１によって収集されたデータはデジタル信号又はアナログ信号として、５０ｂｐｓの専用回線１２又は一般電話回線１５を介してコンピューターを有するＢ支所データ監視装置２１に送られるようになっている。
【００１９】
以上のように、前記Ｂ支所データ監視装置２１には収集されたデータがアナログ信号又はデジタル信号として入力されるようになっている。
前記Ｂ支所データ監視装置２１によって収集された各種のデータは、電話回線１５を介して前記本庁データ監視装置２５にデジタル信号として送信されるようになっている。
（Ｃ支所の監視システム）
次に、Ｃ支所における上下水道施設のデータ監視システムについて説明する。
【００２０】
Ｃ支所においては、各施設の状況を監視してデータを収集する複数のデータ収集装置１１が配設されている。各データ収集装置１１によって収集されたデータは５０ｂｐｓの専用回線１２又は一般電話回線１５を介して新規に設置されたコンピュータを有するＣ支所データ監視装置２３にアナログ信号又はデジタル信号として送信されるようになっている。Ｃ支所内のパケット通信機１８を備えた特定のデータ収集装置１１は、Ｄｏｐａ網１９を介してデータをデジタル信号としてＣ支所データ監視装置２３に送信するようになっている。
【００２１】
以上のように、前記Ｃ支所データ監視装置２３には、収集されたデータがアナログ信号又はデジタル信号として入力されるようになっている。
前記Ｃ支所データ監視装置２３によって収集された各種のデータは、電話回線１５を介してデジタル信号として前記本庁データ監視装置２５に送信されるようになっている。
【００２２】
次に、図２に基づいて前記既設データ監視装置１３、データ処理装置１４、Ａ支所データ監視装置１６及びデータ処理装置１７、Ｂ支所データ監視装置２１及びＣ支所データ監視装置２３の構成を順次説明する。なお、前記データ処理装置１４、Ａ支所データ監視装置１６、データ処理装置１７及びＣ支所データ監視装置２３の構成は、ほぼ同じであるため、Ａ支所データ監視装置１６のみについて説明する。
（コンピューターを持たない既設データ監視装置１３）
この既設データ監視装置１３は複数のデータ収集装置１１から送られてくるデータを収集してディスプレーの画面に表示する機能を備えているが、各種のデータを分析して処理するデータ処理機能は備えられていない。
（Ａ支所データ監視装置１６）
Ａ支所を一元管理するＡ支所データ監視装置１６は、図２に示すように構成されている。前記Ａ支所データ監視装置１６は、各種の演算処理を行う中央演算処理装置３１〔以下、ＣＰＵ（セントラル・プロセッシング・ユニット）という）には、各種の処理プログラム等を記憶するためのリードオンリーメモリ（ＲＯＭ）３２と、各種のデータを記憶するための記録媒体としてのランダムアクセスメモリ（ＲＡＭ）３３が接続されている。又、ＣＰＵ３１にはデータを表示するためのディスプレー３４及びデータを入力するためのキーボード３５が接続されている。ＲＡＭ３３の他にハードディスク等の別の記録媒体を用いてもよい。
【００２３】
前記Ａ支所データ監視装置１６にはデータ受信部３６が備えられている。このデータ受信部３６には信号形態変換装置としての信号形態変換部３７が接続されている。この信号形態変換部３７によって受信したデータがアナログ信号である場合にはデジタル信号に変換されるようになっている。この信号形態変換部３７は通信上の各種のプロトコルを共通化するための機能を有している。データ受信部３６及び信号形態変換部３７の仕様を図３に示す。
【００２４】
図２に示すように、前記信号形態変換部３７には前記ＣＰＵ３１によって動作されるデータ処理部３８が接続されている。このデータ処理部３８にはデータ監視部３９が設けられ、このデータ監視部３９によって、複数の収集されたデータが監視されるようになっている。又、データ処理部３８にはデータ計測部４０が設けられ、各種データの計測を行うようになっている。このデータ処理部３８によって処理されたデータは、前記ＲＡＭ３３又は図示しないハードディスク等の記録媒体に記録されるとともに、ディスプレー３４に表示される。
【００２５】
前記データ処理部３８には送信手段としてのデータ送信部４１が接続され、処理されたデータを本庁の前記本庁データ監視装置２５にデジタル信号として送信するようになっている。
（実施形態の動作）
次に、前記のように構成した遠隔監視システムについて、その動作を説明する。
【００２６】
Ａ支所、Ｂ支所及びＣ支所において、データ収集装置１１によって各種の設備の状態が監視されて、それらの事象がデータとして収集される。これらのデータは５０ｂｐｓの専用回線１２、電話回線１５又はＤｏｐａ網１９を介して、既設データ監視装置１３、データ処理装置１４、Ａ支所データ監視装置１６、データ処理装置１７、Ｂ支所データ監視装置２１又はＣ支所データ監視装置２３に送信される。
【００２７】
Ａ支所において既設データ監視装置１３に送信されたデータは、データ処理装置１４に送信され、このデータ処理装置１４の信号形態変換部３７によって信号形態がアナログ信号である場合にはデジタル信号に変換され、デジタルデータがデータ処理部３８に伝送され、ここでデータの分析と演算処理が行われる。この処理されたデータはＲＡＭ３３に記録されるとともに、データ送信部４１から電話回線１５介してＡ支所データ監視装置１６に送信される。
【００２８】
又、特定のデータ収集装置１１によって収集されたデータは、電話回線１５を介してＡ支所データ監視装置１６にアナログ信号又はデジタル信号として直接送信される。
Ａ支所において特定のデータ収集装置１１によって収集されたデータは電話回線１５を介してデータ処理装置１７に送信され、別のデータ収集装置１１によって収集されたデータはパケット通信機１８及びＤｏｐａ網１９を介して前記データ処理装置１７にアナログ信号又はデジタル信号として送信される。このようにしてＡ支所内において収集された各種のデータは全て、Ａ支所データ監視装置１６にアナログ信号又はデジタル信号として送信される。
【００２９】
Ａ支所データ監視装置１６によって受信されたデータは、信号形態変換部３７によってアナログ信号である場合には、デジタル信号に変換され、データ処理部３８によってデータの分析と演算が行われ、その処理データがＲＡＭ３３に記録される。Ａ支所データ監視装置１６によって処理された全てのデータは、デジタル信号として電話回線１５を介して前記本庁データ監視装置２５に送信される。
【００３０】
一方、Ｂ支所において複数のデータ収集装置１１によって収集された各種のデータはコンピューターを備えたＢ支所データ監視装置２１に送信される。このＢ支所データ監視装置２１によって収集されたデータは、信号形態変換部３７によって全てデジタル信号に変換された後、データ処理部３８によって分析、演算処理され、ＲＡＭ３３等の記録媒体に記録される。そして、これらデータがＢ支所データ監視装置２１から電話回線１５を介してデジタル信号として本庁データ監視装置２５に送信される。
【００３１】
さらに、Ｃ支所において複数のデータ収集装置１１によって収集されたデータは、５０ｂｐｓ専用回線１２又は電話回線１５を介してＣ支所データ監視装置２３にデジタル信号又はアナログ信号として送信される。別のデータ収集装置１１によって収集されたデータは、パケット通信機１８及びＤｏｐａ網１９によってＣ支所データ監視装置２３にデジタル信号として送信される。このようにしてＣ支所において収集されたデータは全てＣ支所データ監視装置２３に送信されて、アナログ信号の場合にはデジタル信号に変換され、データ処理部３８によって分析、演算処理された後、ＲＡＭ３３等の記録媒体に記録されるとともに、電話回線１５を介して前記本庁データ監視装置２５に全てデジタル信号として送信される。
【００３２】
以上の説明から明らかなように、Ａ，Ｂ，Ｃの各支所においてＡ支所データ監視装置１６、Ｂ支所データ監視装置２１及びＣ支所データ監視装置２３によって収集されたデータは、本庁データ監視装置２５によって一元管理され、本庁においてＡ，Ｂ，Ｃ支所全域の施設の状態を一括して管理することができる。
【００３３】
本庁データ監視装置２５において収集された各種のデータの中から、異常データが受信された場合には、警報信号が出力され、これに基づいて本庁データ監視装置２５からＤｏｐａ網１９及び図示しない携帯電話網を介して設備管理者が保有する携帯電話に異常データが送信される。これによって設備管理者は異常が発生している施設に赴いて、その異常の復旧作業にあたることができる。
【００３４】
上記実施形態の遠隔監視装置によれば、以下のような効果を得ることができる。
（１）上記実施形態では、３つのＡ，Ｂ，Ｃ支所において発生した各施設の異常等の状態をデータ収集装置１１によって収集し、このデータを一旦各支所ごとに設けたＡ支所データ監視装置１６、Ｂ支所データ監視装置２１、Ｃ支所データ監視装置２３に集合させた後、電話回線１５を介して本庁データ監視装置２５に送信するようにした。このため、１つの行政庁の上・下水道施設の各種の事象の遠隔監視を一元管理することができる。
【００３５】
（２）上記実施形態では、データ処理装置１４、Ａ支所データ監視装置１６、データ処理装置１７、Ｂ支所データ監視装置２１及びＣ支所データ監視装置２３に対して、データ収集装置１１側から送られてくるデータがアナログ信号である場合にそれをデジタル信号に変換するための信号形態変換部３７を設けた。又、この信号形態変換部３７に対し通信上の各種のプロトコルを共通化するための機能を付与した。このため、各種メーカーにより設置された既設のデータ収集装置１１の機種が異なっていても、それらの既設の設備を改廃することなく、容易に適用することができ、上・下水道施設の遠隔監視システムの統合を低コストで容易に行うことができる。
【００３６】
（３）上記実施形態では、各支所のデータ監視装置に信号形態変換部３７を設けたので、各支所において、機種の異なるデータ収集装置を新たに設置することも容易に行うことができる。
【００３７】
（４）上記実施形態では、一般電話回線１５は、「定時通報」に使用し、Ｄｏｐａ網１９は「異常通報」に使用するようにした。この場合には、通信料金のランニングコストを大幅に削減することができる。
【００３８】
（５）上記実施形態では、従来の電話回線や専用回線等による遠隔監視に加え、ケーブルＴＶや光ファイバー、無線ＬＡＮ等の幅広いネットワークに対応し、様々な地域情報インフラを活用したシステムを構築することができる。
【００３９】
（６）上記実施形態では、監視データ、音声、映像等高速、大容量のデータ通信を実現でき、通信運用コストが格段に安くなるため常時接続により２４時間リアルタイムての監視も行うことができる。
【００４０】
次に、図４に基づいて別の実施形態を説明する。
この別の実施形態においては、複数の支所として、行政庁が管轄する下水道施設としての汚泥処理場５１、民間の事業所が管轄する事業所汚泥処理浄化施設６１１、一般家庭が管轄する一般家庭汚泥処理浄化施設６１２が対象となっている。又、これらの汚泥処理場５１、事業所汚泥処理浄化施設６１１、一般家庭汚泥処理浄化施設６１２は、本庁データ監視装置２５によって遠隔監視されるようになっている。
【００４１】
この本庁データ監視装置２５には、図４の右上に示すように特定地域の支所の遠隔監視システム８１がＩＰ（インターネット・プロトコル）ネットワーク１５１を介して接続されている。又、管理委託事業者が管理する遠隔監視システム８１がＩＰネットワーク１５１を介して本庁データ監視装置２５に接続されている。
【００４２】
行政庁が管轄する汚泥処理場５１においては、汚泥処理浄化槽５２に設けられた各種センサー５３によって検出された各種の情報が監視端末５４に入力されるようになっている。この監視端末５４は前記Ａ支所データ監視装置１６と同様に構成されている。前記監視端末５４には防災告知機能付のＩＰ（インターネット・プロトコル）電話５６を備えたＩＰ告知端末５５が接続されている。前記ＩＰ告知端末５５はモデム５７を介して前記ＩＰネットワーク１５１に接続されている。前記監視端末５４は、汚泥処理浄化槽５２に設けられた各種機器の運転情報、異常停止情報、水量、水質情報及びメンテナンス記録等を監視するようになっている。又、前記ＩＰ告知端末５５及びＩＰ電話５６によって緊急電話連絡や緊急放送を行うことができるようになっており、監視カメラによる映像、侵入警報等も報知されるようになっている。
【００４３】
前述した水質情報としては、例えば、生物化学的酸素要求量（ＢＯＤ）、化学的酸素要求量（ＣＯＤ）、ｐＨ値、透視度、酸化還元電位（ＯＲＰ）、全窒素（ＴＮ）、全りん（ＴＰ）等がある。
【００４４】
従って、前記センサー５３によって検出された各種の情報は、監視端末５４によって一旦記憶された後、ＩＰ告知端末５５からモデム５７及びＩＰネットワーク１５１を介して本庁データ監視装置２５に送られ、本庁データ監視装置２５において遠隔監視される。
【００４５】
次に、前記事業所汚泥処理浄化施設６１１について説明すると、この事業所汚泥処理浄化施設６１１は台所６２、風呂６３及びトイレ６４から排出された汚水や汚泥等を合併処理浄化槽６５に導いて浄化処理し、処理後の浄化水を河川に排水するようになっている。この合併処理浄化槽６５には排気ブロア６６が設けられている。又、合併処理浄化槽６５には浄化水を放流するための放流ポンプ６７が接続され、放流ポンプ６７の下流側の配管には各種センサー６８が設けられ、浄化水の前述した水量や水質等を検査するようになっている。
【００４６】
この事業所汚泥処理浄化施設６１１においては、各種機器の運転情報、異常停止情報、水量及び水質情報、薬剤投入記録、汚泥回収記録及びメンテナンス記録等を監視することができるようになっている。
【００４７】
前記排気ブロア６６、放流ポンプ６７及びセンサー６８には、それらを監視するための監視端末６９が接続されている。この監視端末６９も前述したＡ支所データ監視装置１６と同様に構成されている。この監視端末６９にはＩＰ告知端末７０が接続され、ＩＰ告知端末７０には電話７１が接続されている。又、ＩＰ告知端末７０にはモデム７２を介してＩＰネットワーク１５１に接続されている。
【００４８】
従って、前記排気ブロア６６や放流ポンプ６７に設けた運転状態を検出するセンサーや異常検知センサー（図示略）或いは水量及び水質を検査する各種センサー６８によって検出された各種の情報は、監視端末６９によって一旦記録媒体に記憶された後、ＩＰ告知端末７０からモデム７２及びＩＰネットワーク１５１を介して本庁データ監視装置２５に送られ、庁データ監視装置２５において遠隔監視される。
【００４９】
前述した一般家庭汚泥処理浄化施設６１２は、事業所の前述した事業所汚泥処理浄化施設６１１と同様の構成であるので、同じ部材については同一の符号を付して説明を省略する。
【００５０】
前記遠隔監視システム８１は、遠隔管理装置８２を備え、モデム８３及びＩＰネットワーク１５１を介して前記本庁データ監視装置２５に接続されている。又、遠隔監視システム８１は携帯電話８４を備え、本庁データ監視装置２５との間で情報の送受信を行うようになっている。この遠隔監視システム８１の遠隔管理装置８２は、緊急電話連絡、緊急放送、監視カメラの映像、侵入警報、機器異常警報、運転データ及び管理記録を記録するようになっている。
【００５１】
前記本庁データ監視装置２５には、総合管理装置９１が設けられ、モデム９２を介してＩＰネットワーク１５１に接続されている。総合管理装置９１にはディスプレー９３が接続されている。本庁データ監視装置２５には携帯電話９４が備えられ、各支所との間で情報の送受信を行うようになっている。
【００５２】
前述した支所が管理する遠隔監視システム８１と同様の管理委託業者が管理する遠隔監視システム８１が図４の左側に示すようにＩＰネットワーク１５１に接続されている。
情報センター９５はサーバー９６を備え、このサーバー９６はモデム９７を介して前記ＩＰネットワーク１５１に接続されている。この情報センター９５は全ての情報を前記サーバー９６に記録するものである。
【００５３】
上述した別の実施形態においては、汚泥処理場５１、事業所汚泥処理浄化施設６１１及び一般家庭汚泥処理浄化施設６１２の各種の情報を、本庁データ監視装置２５において遠隔監視することができる。
【００５４】
なお、上記実施形態は以下のように変更してもよい。
○  データの転送媒体を５０ｂｐｓ専用回線１２、電話回線１５、Ｄｏｐａ網１９、ＩＮＳ回線２０或いはＩＰネットワーク１５１以外の転送（通信）媒体にしてもよい。
【００５５】
○  複数の支所にそれぞれ設けられたデータ処理装置１４から本庁データ監視装置２５に電話回線１５又はＩＰネットワーク１５１を介してデータを直接送信するようしてもよい。
【００５６】
（技術思想１）
請求項１〜４のいずれか１項において、前記支所データ監視装置は、コンピューターを有する既設データ監視装置によって分析、演算処理されたデータを本庁データ監視装置に転送する機能を有するものであることを特徴とする水道施設用の遠隔監視システム。
【図面の簡単な説明】
【００５７】
【図１】この発明を具体化した上下水道施設の遠隔監視システムの概略構成を示すブロック回路図。
【図２】Ａ支所データ監視装置の構成を示す略体回路図。
【図３】信号形態変換部の具体的構成を示す説明図。
【図４】この発明の別の実施形態を示す回路図。
【符号の説明】
【００５８】
１１…データ収集装置、１３…既設データ監視装置、３６…データ受信部、６５…合併処理浄化槽。
【図１】
2005167964.tif 000003
【図２】
2005167964.tif 000004
【図３】
2005167964.tif 000005
【図４】
2005167964.tif 000006